(57)【特許請求の範囲】
【請求項１】
エアコン室内機などの被包装物を段ボール板製包装箱内において緩衝保護するための段ボール板製緩衝体において、適当間隔おきに互いに平行に並び起立し背部に位置する複数枚の支持用板部と、この支持用板部の両側に後端部が連設される左右の側板部と、各側板部の前端部に一端部が連設され前記支持用板部の形状に沿って支持用板部を前側から覆う凹部形成用板部と、各凹部形成用板部の他端部に連設され緩衝体の幅方向適所において互いに重なり前記支持用板部の内、少なくとも両端に位置する支持用板部の幅方向適所に形成されたスリットに互いに係合するスリットが形成された突き合わせ板部とを備え、前記突き合わせ板部のスリットを前記少なくとも両端に位置する支持用板部のスリットに係合させることにより被包装物の端部を嵌入させる凹部が前面に形成されるように構成した段ボール板製緩衝体であり、両端に位置する支持用板部はその間に位置する支持用板部よりも前方に大きく張り出し、両端に位置する支持用板部の間に位置する支持用板部は左右の両側部のみ前端面が両端に位置する支持用板部の前端面と同じレベルとなっており、この両端に位置する支持用板部の間に位置する支持用板部の両側部間には角型の凹部が形成されており、前記凹部形成用板部は支持用板部の前端面に当接する第１の板部と、両端に位置する支持用板部の間に位置する支持用板部の角型の凹部の側面に当接するように前記第１の板部から直角に折れ曲がる第２の板部と、前記両端に位置する支持用板部の内面に当接するように第１の板部から直角に折れ曲がる第３の板部とを備え、また前記各突き合わせ板部は前記角型の凹部の底面に当接するように直角に折れ曲がる板部を備えてなることを特徴とする段ボール板製緩衝体。
【発明の詳細な説明】
【０００１】
【発明の属する技術分野】
本発明は、例えばエアコン室内機などの被包装物を段ボール板製包装箱に収納する際に使用される段ボール板製緩衝体に関するものである。
【０００２】
【従来の技術】
従来からエアコン室内機などの被包装物を段ボール板製包装箱に収納する際に使用される緩衝体としては、主として発泡スチロールからなる緩衝体が使用されている。
【０００３】
このような発泡スチロール製の緩衝体を使用後に焼却処理したとき、公害煙が発生すること、および焼却炉が焼却により発生する熱により傷み、寿命が短いことなどが原因で、発泡スチロール製の緩衝体に代わる緩衝体が検討されつつある。そこで最近では、発泡スチロール製の緩衝体に代わって、段ボール板製緩衝体が提案されつつあるが、構成が複雑で、組み立てに手間がかかるという問題がある。
【０００４】
【発明が解決しようとする課題】
本発明はこのような課題を解決するもので、エアコン室内機などの被包装物を緩衝保護するために組み立て容易で、緩衝保護効果に優れた緩衝体を提供することを目的とするものである。
【０００５】
【課題を解決するための手段】
この課題を解決するために本発明は、エアコン室内機などの被包装物を段ボール板製包装箱内において緩衝保護するための段ボール板製緩衝体において、適当間隔おきに互いに平行に並び起立し背部に位置する複数枚の支持用板部と、この支持用板部の両側に後端部が連設される左右の側板部と、各側板部の前端部に一端部が連設され前記支持用板部の形状に沿って支持用板部を前側から覆う凹部形成用板部と、各凹部形成用板部の他端部に連設され緩衝体の幅方向適所において互いに重なり前記支持用板部の内、少なくとも両端に位置する支持用板部の幅方向適所に形成されたスリットに互いに係合するスリットが形成された突き合わせ板部とを備え、前記突き合わせ板部のスリットを前記少なくとも両端に位置する支持用板部のスリットに係合させることにより被包装物の端部を嵌入させる凹部が前面に形成されるように構成した段ボール板製緩衝体であり、両端に位置する支持用板部はその間に位置する支持用板部よりも前方に大きく張り出し、両端に位置する支持用板部の間に位置する支持用板部は左右の両側部のみ前端面が両端に位置する支持用板部の前端面と同じレベルとなっており、この両端に位置する支持用板部の間に位置する支持用板部の両側部間には角型の凹部が形成されており、前記凹部形成用板部は支持用板部の前端面に当接する第１の板部と、両端に位置する支持用板部の間に位置する支持用板部の角型の凹部の側面に当接するように前記第１の板部から直角に折れ曲がる第２の板部と、前記両端に位置する支持用板部の内面に当接するように第１の板部から直角に折れ曲がる第３の板部とを備え、また前記各突き合わせ板部は前記角型の凹部の底面に当接するように直角に折れ曲がる板部を備えてなることを要旨とするものである。
【０００６】
この構成により、エアコン室内機などの被包装物の緩衝体として、糊付けなどの手段を一切不要とし、極めて簡単に組み立てでき、使用後に焼却処理したときに公害煙の発生などの心配なく、緩衝効果に優れた段ボール板製の緩衝体を提供することができる。特に本発明によれば、前面の凹部に被包装物の端部を嵌入し、その状態で被包装物を段ボール板製の包装箱に入れて包装したとき、背部に位置して側板部と同じ前後方向に向く複数枚の支持用板部と、この支持用板部の内、少なくとも両端部に位置する支持用板部に形成されたスリットと係合するスリットを備えた突き合わせ板部を連設する凹部形成用板部により外圧を受け止め、優れた緩衝効果が得られる。
【０００７】
【発明の実施の形態】
以下、本発明の実施の形態について、図面に基づいて説明する。
先ず、図１〜図６に示す第１の実施の形態について説明すると、１はエアコン室内機（以下、被包装物と称す）であって、その左右両側が図１に示すようにカットしてなる展開状態の段ボール板を組み立てることにより作られた緩衝体２により保護され、段ボール板製の包装箱３に入れられて包装される。
【０００８】
前記緩衝体２について詳細に説明すると、緩衝体２はそれぞれ１枚の段ボール板を組み立てることにより作られており、前記被包装物１の左右両端の何れか一方を嵌入させる凹部４を前面に形成するために中央に位置して適当間隔おきに互いに平行に並び起立する４枚の支持用板部５ａ〜５ｄと、この支持用板部５ａ〜５ｄの両側に後端部が連設される左右の側板部６，６と、各側板部６の前端部に一端部が連設され前記支持用板部５ａ〜５ｄの形状に沿って支持用板部５ａ〜５ｄを前側から覆う凹部形成用板部７と、各凹部形成用板部７の他端部に連設され緩衝体２の左右の幅方向中央において互いに重なり前記支持用板部５ａ〜５ｄの左右の幅方向中央に形成されたスリット８ａ〜８ｄに互いに係合するスリット９ａ〜９ｄが形成された突き合わせ板部９とから構成されている。
【０００９】
さらに詳しくは、前記支持用板部５ａ〜５ｄにおいて、両端部に位置する支持用板部５ａ，５ｄはその間に位置する支持用板部５ｂ，５ｃよりも前方に大きく張り出し、左右の幅方向中央に前記スリット８ａ，８ｄに向かって傾斜する傾斜面５ａ′，５ｄ′が形成されている。また、前記支持用板部５ｂ，５ｃは左右の両側部のみ前端面が前記支持用板部５ｂ，５ｃの前端面と同じレベル（前端位置が同じ）となっており、この支持用板部５ｂ，５ｃの両側部間には角型の凹部５ｂ′，５ｃ′が形成されている。また、前記各凹部形成用板部７は前記各支持用板部５ａ〜５ｄの前端面（前記傾斜面５ａ′，５ｄ′を含む）に当接する第１の板部７ａと、前記支持用板部５ｂ，５ｃの角型の凹部５ｂ′，５ｃ′の側面に当接するように第１の板部７ａから直角に折れ曲がる第２の板部７ｂと、前記支持用板部５ａ，５ｄの内面に当接するように第１の板部７ａから直角に折れ曲がる第３の板部７ｃとを備えるとともに、一方の凹部形成用板部７には被包装物１の両端の傾斜角部に当接する第４の板部７ｄを備え、また前記各突き合わせ板部９は前記角型の凹部５ｂ′，５ｃ′の底面に当接するように直角に折れ曲がる板部９ｅを備えている。従って、前記突き合わせ板部９のスリット９ａ〜９ｄが支持用板部５ａ〜５ｄのスリット８ａ〜８ｄに係合した状態で前記板部７ｂ、７ｃ、７ｄ、９ｅを折り曲げることにより被包装物１であるエアコン室内機の左右両端を嵌入させる凹部４が前面に形成された緩衝体２が完成する。なお、前記支持用板部５ａ〜５ｄは左右の側板部６，６と一体に繋がり、側板部６，６を支持用板部５ａ〜５ｄに対して直角に折り曲げたとき支持用板部５ａ〜５ｄが側板部６，６と同じ前後方向に向くように支持用板部５ａ〜５ｄは左右の側板部６，６との間にそれぞれ繋ぎ用板部10，10が介在され、この繋ぎ用板部10の一辺が各支持用板部５ａ〜５ｄの両側に繋がり、また他の一辺が側板部６に繋がっている。支持用板部５ａ〜５ｄの両側に繋がる繋ぎ用板部10の一辺は前記各側板部６と凹部形成用板部７との連設線（折曲線）と平行であり、繋ぎ用板部10の他の一辺は前記一辺に対し鋭角に斜めに形成され、側板部６，６を支持用板部５ａ〜５ｄに対して直角に折り曲げたとき繋ぎ用板部10は側板部６の内面に重なるようになっている。
【００１０】
図３および図４に完成した緩衝体２を示し、この緩衝体２は２つ用意されて、互いに対向する凹部４内に被包装物１であるエアコン室内機の両端が嵌入され、その状態で被包装物１は図６に示すように段ボール板製の包装箱３に入れられて包装される。
【００１１】
なお、完成した緩衝体２において各側板部６の後端部形状はほぼ波型を呈している。
ところで、以上述べた緩衝体２は図１に示す展開状態の段ボール板を両側に位置する突き合わせ板部９，９を上向きに互いに近づける方向に折り曲げることにより前記４枚の支持用板部５ａ〜５ｄが一体に起立し、その後、各突き合わせ板部９のスリット９ａ〜９ｄを支持用板部５ａ〜５ｄのスリット８ａ〜８ｄに互いに係合させることに組み立てが完成する。
【００１２】
次に、図７〜図10に示す第２の実施の形態について説明する。この第２の実施の形態と以上述べた第１の実施の形態と異なる点は、第１の実施の形態では緩衝体２の左右の幅方向中央において突き合わせ板部９，９が互いに重なり、スリット９ａ〜９ｄが前記支持用板部５ａ〜５ｄのスリット８ａ〜８ｄに互いに係合するようになっているのに対し、第２の実施の形態では支持用板部５ａ〜５ｄの内、支持用板部５ｂ，５ｃにはスリットが形成されておらず、両端部に位置する支持用板部５ａ，５ｄにのみスリット８ａ，８ｄが形成されており、突き合わせ板部９は前記スリット８ａ，８ｄに互いに係合するスリット９ａ，９ｄにより位置決めされるようになっている点である。なお、前記支持用板部５ｂ，５ｃにはスリットが形成されていないが、突き合わせ板部９には支持用板部５ｂ，５ｃに上方より嵌合するスリット９ｂ，９ｃが形成されている。ところで、この第２の実施の形態では前記支持用板部５ａ，５ｄのスリット８ａ，８ｄは左右の幅方向中央から片側にずれた位置に形成され、これに合わせて一方の側板部６の前端部に連設された凹部形成用板部７と他方の側板部６の前端部に連設された凹部形成用板部７とでは大きさが異なるように構成されている。また、この第２の実施の形態では前記各突き合わせ板部９に連設された板部９ｅの先端に支持用板部５ｂ，５ｃの凹部５ｂ′，５ｃ′の側面に係合するスリット９ｅ′が形成されている。他の構成は前記第１の実施の形態とほぼ同じである。
【００１３】
さらに、図11〜図14に示す第３の実施の形態について説明する。この第３の実施の形態と以上述べた第１の実施の形態と異なる点は、第１の実施の形態では緩衝体２の左右の幅方向中央において突き合わせ板部９，９が互いに重なり、スリット９ａ〜９ｄが前記支持用板部５ａ〜５ｄのスリット８ａ〜８ｄに互いに係合するようになっているのに対し、第３の実施の形態では支持用板部５ａ〜５ｄの内、支持用板部５ｂ，５ｃにはスリットが形成されておらず、両端部に位置する支持用板部５ａ，５ｄにのみスリット８ａ，８ｄが形成されており、突き合わせ板部９は前記スリット８ａ，８ｄに互いに係合するスリット９ａ，９ｄにより位置決めされるようになっている点である。また、第３の実施の形態では前記支持用板部５ｂ，５ｃにはスリットが形成されていないが、突き合わせ板部９には支持用板部５ｂ，５ｃに上方より嵌合するスリット９ｂ，９ｃが形成されている。また、第３の実施の形態では前記支持用板部５ａ，５ｄのスリット８ａ，８ｄは左右の幅方向中央から片側にずれた位置に形成され、これに合わせて一方の側板部６の前端部に連設された凹部形成用板部７と他方の側板部６の前端部に連設された凹部形成用板部７とでは大きさが異なるように構成されている。これらの点については前記第２の実施の形態と同様であるが、第３の実施の形態では前記支持用板部５ａ〜５ｄにおいて、端部に位置する一方の支持用板部５ａとそれに隣接する支持用板部５ｂを後端部間で板部11を介して一体に連結した点において、第１および第２の実施の形態と異なっている。他の構成は前記第１の実施の形態とほぼ同じである。
【００１４】
以上述べた第２および第３の実施の形態の緩衝体２も前記第１の実施の形態の緩衝体２と同様に使用される。
【００１５】
【発明の効果】
以上のように本発明によれば、エアコン室内機などの被包装物の緩衝体として、糊付けなどの手段を一切不要とし、極めて簡単に組み立てでき、使用後に焼却処理したときに公害煙の発生などの心配なく、緩衝効果に優れた段ボール板製の緩衝体を提供することができる。特に本発明によれば、前面の凹部に被包装物の端部を嵌入し、その状態で被包装物を段ボール板製の包装箱に入れて包装したとき、背部に位置して側板部と同じ前後方向に向く複数枚の支持用板部と、この支持用板部の内、少なくとも両端部に位置する支持用板部に形成されたスリットと係合するスリットを備えた突き合わせ板部を連設する凹部形成用板部により外圧を受け止め、優れた緩衝効果が得られる。
【図面の簡単な説明】
【図１】本発明の第１の実施の形態における段ボール板製緩衝体の展開図である。
【図２】同段ボール板製緩衝体の組み立て途中の状態を示す斜視図である。
【図３】同段ボール板製緩衝体の組み立て完成状態を正面から見た状態を示す斜視図である。
【図４】同段ボール板製緩衝体の組み立て完成状態を背面から見た状態を示す斜視図である。
【図５】同段ボール板製緩衝体に被包装物の完成使用状態を示す斜視図である。
【図６】同段ボール板製緩衝体に被包装物をセットした状態を示す要部拡大断面図である。
【図７】本発明の第２の実施の形態における段ボール板製緩衝体の展開図である。
【図８】同段ボール板製緩衝体の組み立て途中の状態を示す斜視図である。
【図９】同段ボール板製緩衝体の組み立て完成状態を正面から見た状態を示す斜視図である。
【図１０】同段ボール板製緩衝体の組み立て完成状態を背面から見た状態を示す斜視図である。
【図１１】本発明の第３の実施の形態における段ボール板製緩衝体の展開図である。
【図１２】同段ボール板製緩衝体の組み立て途中の状態を示す斜視図である。
【図１３】同段ボール板製緩衝体の組み立て完成状態を正面から見た状態を示す斜視図である。
【図１４】同段ボール板製緩衝体の組み立て完成状態を背面から見た状態を示す斜視図である。
【符号の説明】
１                        被包装物
２                        緩衝体
３                        包装箱
４                        凹部
５ａ，５ｂ，５ｃ，５ｄ    支持用板部
５ａ′，５ｄ′            傾斜面
５ｂ′，５ｃ′            凹部
６                        側板部
７                        凹部形成用板部
７ａ，７ｂ，７ｃ，７ｄ    板部
８ａ，８ｂ，８ｃ，８ｄ    スリット
９                        突き合わせ板部
９ａ，９ｂ，９ｃ，９ｄ    スリット
９ｅ                      板部
９ｅ′                    スリット
１０                        繋ぎ用板部
１１                        板部
【図１】
0003807804.tif 000002
【図２】
0003807804.tif 000003
【図３】
0003807804.tif 000004
【図４】
0003807804.tif 000005
【図５】
0003807804.tif 000006
【図６】
0003807804.tif 000007
【図７】
0003807804.tif 000008
【図８】
0003807804.tif 000009
【図９】
0003807804.tif 000010
【図１０】
0003807804.tif 000011
【図１１】
0003807804.tif 000012
【図１２】
0003807804.tif 000013
【図１３】
0003807804.tif 000014
【図１４】
0003807804.tif 000015